(57)【要約】【課題】従来の装置は、本体装置とフックの二個の、組合せ装置が多く、扉内側内にフックと本体装置を取付けるのは、芯出しが難しく取り付は困難であること。また  装置が作動するか、テスト確認が出来ず不安である。【解決手段】取付には家具上面部に両面テープで位置を決め、ビス止め治具を使用しドライバーで三本のビスを止めて完了する、作動確認テストはハンマーレバーの分銅を押すことで作動確認が何回でもできる。【選択図】図１
2007146610.tif 000002
【特許請求の範囲】
【請求項１】
横型式、図１の折畳みスイングアーム３にスライド長穴１２とＲ型フック１４・１５を設けローラーフック１１の組合せで地震時の上下左右の揺れでフックが外れ折畳みスイングアーム３・４が直線的に落下することを、特徴とする。扉開放防止装置
【請求項２】
横型式、図１のハンマーレバー２に分銅７を設け地震時前後左右斜めの揺れでレバーフック１０がスイングアーム衝撃部９を叩き前方にスイングアーム３・４を押出すことが、特徴とする。扉開放防止装置
【請求項３】
縦型式、図４の折畳みスイングアーム６ｂを縦に折畳み、アーム角型部分７ｂをハンマーレバー２ｂの角型フック３ｂに装着し、ハンマーレバー２ｂの先に取付けてある、分銅４ｂが地震時、前後左右斜めの揺れで角型フック３ｂが働き、アーム角型部分７ｂを蹴飛ばしスイングアームが下降端に落下することが特徴とする。  扉開放防止装置
【請求項４】
図１と図４の折畳みスイングアームと横型式図１及び縦型式図４を特徴とする。  請求項１  請求項２請求項３に記載の扉開放防止装置。
【発明の詳細な説明】
【技術分野】
【０００１】本発明は、地震時家具棚扉の開放を防止する方法に関するものである。
【背景技術】
【０００２】地震などで、家具が大きく揺れると、家具類扉などが開放してしまい、内部の収容物が周囲に飛散り危険で、大きい事故に至る。【０００３】現在地震対策されている、家具類に扉開放防止装置の、付いて販売されている家具類は少なく、一般家庭では扉開放防止を付けている、家庭は数少ないのが現状である。【０００４】販売されている、扉開放防止装置は、種類も少なく構造もスチールボールの移動でフックレバーを作動させるので、装置側フックレバーと扉側フックとの揺れのタイミングが合わないと装置が作動しない。
【特許文献１】
【非特許文献１】
【発明の開示】
【発明が解決しょうとする課題】
【０００５】地震時の三次元的揺れに対応し、震度５前後で装置が確実に作動することと、扉を完全に防止状態にすることが課題である。
【０００６】作動状態を目で確認が出来ること、また作動テストが何回でも簡単にできること。
【０００７】家具類に、女性でも簡単に取付が出来ること。構造が簡単で女性でも構造が理解出来ること。
【課題を解決するための手段】
【０００８】本発明は、扉開放防止装置の小型化にするために、折畳みスイングアームの構造である、また横型式と縦型式の二種類の構造で造られている。扉開放防止装置
【０００９】横型式図１は、三次元的角度から来る地震の揺れに対して、震度５前後で確実に反応する構造に造られている。折畳みスイングアーム３にスライド長穴１２を設け、フックローラー１１とＲ型フック１４・１５との噛合いで、上下と左右の地震の揺れでローラー１１とＲ型フック１４・１５の部分が外れ、長穴１２をスライドしながら下降端にスイングアーム３・４が落下する構造にすることで課題を解決した。
【００１０】横型式は、図１前後及び左右斜め角度から来る揺れに対し、分銅７の付いた、ハンマーレバー２が作動で、アーム衝撃部９に当りスイングアーム３・４が前方に押出され長穴１２をスライドしながらスイングアーム３・４が下降端に落下する構造である。
【００１１】縦型式図４は、二次元的角度に最適な装置である、本装置の縦型式は横型式と違い図１の長穴１２とフックローラー１１とＲ型フック１４・１５が無い構造に造られている。動作説明、図４折畳みスイングアーム６ｂを縦に折畳みアーム角型部分７ｂをハンマーレバー２ｂの角型フック３ｂに装着し、またハンマーレバー２ｂの先に取付けてある、分銅４ｂが地震時前後左右斜めの揺れでハンマーレバー２ｂの角型フック３ｂでアーム角型部分７ｂを蹴飛ばしスイングアーム６ｂが下降端に落下する。
【００１２】本発明は、扉開放防止装置として、家具本体上面側に取付るので難しい芯だしが無く、女性でも簡単に取付けることが出来る構造である。
【００１３】家具類の取付は、両面テープで位置を決め、ビス止め治具を使用しドライバーで三本のビスを止めて完了。目で見て構造が理解でき、取付け後作動テストが何回でも出来る構造にする事で解決した。
【００１４】販売価格を安く押えるには、構造が簡単で部品点数を少なくすることで課題を解決し、製造コストを押え、性能維持を図ることで解決する。
【発明の効果】
【００１５】本発明に、地震時に起きる三次元的角度からの揺れに対して家具類扉の開放を防止する為に開発した、扉開放防止装置である
【００１６】本発明は、構造が単純で女性でも理解ができる、また部分的に今までに無い構造を取り入れたので地震の揺れに対して敏感に作動する、
【００１７】本発明はスイングアームが折畳み式で、小型に出来、家具上面に取付けても小型で目で見ても、大きさが気にならない。
【発明を実施するための最良の形態】
【００１８】この発明の実施の形状を図について説明をする。図１は扉開放防止装置の横型式の展開図を示す、正面図と上面図である。また図２は地震前正面図、図３は地震時のスイングアームが下降端に落下の正面図図４は、扉開放防止装置の縦型式の正面図と上面図を示す  図５は装置が落下中の正面図、図６はスイングアームが下降端に落下の正面図である。【００１９】図１、Ｌ型本体１の、上面にハンマーレバー２の元の部分に軸受６が挿入され、その先端に分銅７が固定されている、地震時の前後左右斜めの揺れで分銅７が働き軸受６を中心にしてハンマーレバー２が激しく前後に働きレバーフック１０がアーム衝撃９を叩く事でスイングアーム押出されて落下する。
【実施例１】
【００２０】図１は本発明装置の材料は  Ｌ型本体１、スイングアーム３・４、ハンマーレバー２は、金型で成型された軽合金、又は強化樹脂、軸受部６・５・１３はテフロン樹脂及び錆と強度に優れた合金を使用する。
【図面の簡単な説明】
【００２１】
【図１】  正面図  上面図  横型式スイングアーム展開図
【図２】  正面図  地震前
【図３】  正面図  地震時スイングアーム下降端
【図４】  正面図  上面図  縦型式
【図５】  正面図  スイングアーム落下中
【図６】  正面図  スイングアーム下降端
【符号の説明】
【００２２】  １    横型式Ｌ型本体
２    ハンマーレバー
３    長穴付スイングアーム
４    前側スイングアーム
５    中間軸受
６    軸受
７    分銅
８    レバー停止ピン
９    アーム衝撃部
１０    レバーフック
１１    フックローラー
１２    スライド長穴
１３    固定軸
１４    Ｒ型フック
１５    先端Ｒ型フック
１６    化粧板
１７    ビス止め穴
１ａ    家具本体
２ａ    上面部木枠
３ａ    ガラス扉木枠
４ａ    ガラス部分
１ｂ    縦型式Ｌ型本体
２ｂ    ハンマーレバー
３ｂ    角型フック
４ｂ    分銅
５ｂ    軸受
６ｂ    折畳みスイングアーム
７ｂ    アーム角型部分
１ｃ    家具本体
２ｃ    上面部木枠
３ｃ    ガラス扉木枠
４ｃ    ガラス部分
【図１】
2007146610.tif 000003
【図２】
2007146610.tif 000004
【図３】
2007146610.tif 000005
【図４】
2007146610.tif 000006
【図５】
2007146610.tif 000007
【図６】
2007146610.tif 000008